(57)【特許請求の範囲】
【請求項１】
遊技用記録媒体に記録された識別情報に対応付けて有価価値を管理する管理装置と、前記遊技用記録媒体に基づいて遊技媒体の貸出し処理を行う貸出処理機と、前記遊技用記録媒体の精算処理を行う記録媒体精算機とを有する遊技媒体貸出システムであって、
前記貸出処理機は、
所定の支払い価値を遊技への使用を前提とした有価価値として価値付ける価値付け手段と、
前記管理装置によって遊技用記録媒体の識別情報に対応付けて管理される有価価値に基づいて遊技用記録媒体の使用または精算を行うオンラインモード、または前記遊技用記録媒体に記録された有価価値に基づいて前記遊技用記録媒体の使用または精算を行うオフラインモードのいずれのモードにおいて前記価値付け手段によって前記支払い価値が有価価値として価値付けられたかを示す価値付け区分を遊技用記録媒体に書き込むように制御する書込制御手段とを備え、
前記貸出処理機または前記記録媒体精算機は、
前記オンラインモード及び前記オフラインモードを切り替えるモード切替え手段と、
前記貸出処理機または前記記録媒体精算機が滞在している滞在モードが前記書込制御手段によって前記遊技用記録媒体に書き込まれた価値付け区分と一致するか否かを判定するモード一致判定手段と、
前記モード一致判定手段によって滞在モードと価値付け区分とが一致すると判定された場合に、前記遊技用記録媒体の使用または精算の自動処理を許可する自動処理許可手段とを備えた
ことを特徴とする遊技媒体貸出システム。
【請求項２】
前記記録媒体精算機は、
前記書込制御手段によって遊技用記録媒体に書き込まれた有価価値の価値高を表示するように制御する表示制御手段をさらに備えたことを特徴とする請求項１に記載の遊技媒体貸出システム。
【請求項３】
前記モード切替え手段は、
前記管理装置との通信可能であるか否かを判定する通信可否判定手段をさらに備え、
前記通信可否判定手段によって管理装置との通信が不可能であると判定された場合には、前記オンラインモードから前記オフラインモードに切り替え、前記通信可否判定手段によって管理装置との通信が復旧したと判定された場合には、前記オフラインモードから前記オンラインモードに切り替えることを特徴とする請求項１または２に記載の遊技媒体貸出システム。
【請求項４】
前記貸出処理機は、当該貸出処理機を含む複数の貸出処理機が接続された中継装置と接続されるものであって、
前記貸出処理機が有するモード切替え手段は、
前記中継装置と接続される他の貸出処理機に対して前記オンラインモード又は前記オフラインモードに切り替えるように指示することを特徴とする請求項１、２または３に記載の遊技媒体貸出システム。
【請求項５】
前記貸出処理機は、
前記管理装置によって遊技用記録媒体の識別情報に対応付けて管理される有価価値を更新するように依頼する更新依頼手段をさらに備え、
前記書込制御手段は、
前記更新依頼手段による更新依頼に応答して前記管理装置によって有価価値が更新されている途中で前記管理装置との通信が途絶した場合に、更新前の有価価値の価値高及び更新後の有価価値の価値高の両方を前記遊技用記録媒体に書き込むように制御することを特徴とする請求項１〜４のいずれか一つに記載の遊技媒体貸出システム。
【発明の詳細な説明】
【技術分野】
【０００１】
本発明は、遊技用記録媒体に記録された識別情報に対応付けて有価価値を管理する管理装置と、遊技用記録媒体に基づいて遊技媒体の貸出し処理を行う貸出処理機と、遊技用記録媒体の精算処理を行う記録媒体精算機とを有する遊技媒体貸出システムに関する。
【背景技術】
【０００２】
従来、パチンコ玉やメダルなどの遊技媒体を貸し出す遊技媒体貸出機として、挿入された遊技用記録媒体（プリペイドカード）の価値に基づいて遊技媒体を貸し出すカード処理ユニット（以下、これを「ＣＲユニット」と言う）がよく知られている（例えば、特許文献１参照。）。
【０００３】
かかるＣＲユニットに挿入されるプリペイドカードの残額は、ＣＲユニットと通信接続される管理装置（以下、これを「プリペイドカードＴ／Ｃ」と言う）にてプリペイドカードに記憶される識別情報（プリペイドカードＩＤ）に紐付けて管理される。
【０００４】
このように、プリペイドカードの残額管理は、ＣＲユニットの上位装置であるプリペイドカードＴ／Ｃにて行われているので、何らかの原因でＣＲユニットとプリペイドカードＴ／Ｃ間の通信が途絶した状態（オフライン状態）に陥った場合には残額管理を行うことができない。
【０００５】
このため、かかるオフライン状態においては、所定の低額紙幣（例えば、千円札）を受け入れた場合にその紙幣相当分の遊技媒体を全投出するようにＣＲユニットを構成することにより、プリペイドカードの残額管理を回避する方式が採用されている。
【０００６】
【特許文献１】特開２００２−２２４４１６号公報
【発明の開示】
【発明が解決しようとする課題】
【０００７】
しかしながら、上述のようにプリペイドカードの残額管理を回避しても、オフライン状態においてプリペイドカードの残額管理をできない点は依然として変わりなく、遊技客のプリペイドカードに係る利便性を損なうという問題があった。
【０００８】
すなわち、オフライン状態においては、プリペイドカードＴ／ＣとＣＲユニットとが通信不能であるため、オフライン状態になるまでにオンライン状態で購入されたプリペイド残額を使用および精算できないのをはじめ、千円札等の特定の低額紙幣しか遊技に供することができない状態に陥り、他の金種の貨幣を使用できない結果、遊技客のプリペイドカードに係る利便性を損なってしまう。
【０００９】
そこで、本発明は、上述した従来技術による課題（問題点）を解消するためになされたものであり、遊技客のプリペイドカードに係る利便性を向上させる遊技媒体貸出システムを提供することを目的とする。
【課題を解決するための手段】
【００１０】
上述した課題を解決し、目的を達成するために、本発明に係る遊技媒体貸出システムは、遊技用記録媒体に記録された識別情報に対応付けて有価価値を管理する管理装置と、前記遊技用記録媒体に基づいて遊技媒体の貸出し処理を行う貸出処理機と、前記遊技用記録媒体の精算処理を行う記録媒体精算機とを有する遊技媒体貸出システムであって、前記貸出処理機は、所定の支払い価値を遊技への使用を前提とした有価価値として価値付ける価値付け手段と、前記管理装置によって遊技用記録媒体の識別情報に対応付けて管理される有価価値に基づいて遊技用記録媒体の使用または精算を行うオンラインモード、または前記遊技用記録媒体に記録された有価価値に基づいて前記遊技用記録媒体の使用または精算を行うオフラインモードのいずれのモードにおいて前記価値付け手段によって前記支払い価値が有価価値として価値付けられたかを示す価値付け区分を遊技用記録媒体に書き込むように制御する書込制御手段とを備え、前記貸出処理機または前記記録媒体精算機は、前記オンラインモード及び前記オフラインモードを切り替えるモード切替え手段と、前記貸出処理機または前記記録媒体精算機が滞在している滞在モードが前記書込制御手段によって前記遊技用記録媒体に書き込まれた価値付け区分と一致するか否かを判定するモード一致判定手段と、前記モード一致判定手段によって滞在モードと価値付け区分とが一致すると判定された場合に、前記遊技用記録媒体の使用または精算の自動処理を許可する自動処理許可手段とを備えたことを特徴とする。
【００１１】
また、本発明に係る遊技媒体貸出システムは、前記記録媒体精算機は、前記書込制御手段によって遊技用記録媒体に書き込まれた有価価値の価値高を表示するように制御する表示制御手段をさらに備えたことを特徴とする。
【００１２】
また、本発明に係る遊技媒体貸出システムは、前記モード切替え手段は、前記管理装置との通信可能であるか否かを判定する通信可否判定手段をさらに備え、前記通信可否判定手段によって管理装置との通信が不可能であると判定された場合には、前記オンラインモードから前記オフラインモードに切り替え、前記通信可否判定手段によって管理装置との通信が復旧したと判定された場合には、前記オフラインモードから前記オンラインモードに切り替えることを特徴とする。
【００１３】
また、本発明に係る遊技媒体貸出システムは、前記貸出処理機は、当該貸出処理機を含む複数の貸出処理機が接続された中継装置と接続されるものであって、前記貸出処理機が有するモード切替え手段は、前記中継装置と接続される他の貸出処理機に対して前記オンラインモード又は前記オフラインモードに切り替えるように指示することを特徴とする。
【００１４】
また、本発明に係る遊技媒体貸出システムは、前記貸出処理機は、前記管理装置によって遊技用記録媒体の識別情報に対応付けて管理される有価価値を更新するように依頼する更新依頼手段をさらに備え、前記書込制御手段は、前記更新依頼手段による更新依頼に応答して前記管理装置によって有価価値が更新されている途中で前記管理装置との通信が途絶した場合に、更新前の有価価値の価値高及び更新後の有価価値の価値高の両方を前記遊技用記録媒体に書き込むように制御することを特徴とする。
【発明の効果】
【００１５】
本発明によれば、所定の支払い価値を遊技への使用を前提とした有価価値として価値付け、遊技用記録媒体の識別情報に対応付けて管理される有価価値に基づいて遊技用記録媒体の使用または精算を行うオンラインモード、または遊技用記録媒体に記録された有価価値に基づいて遊技用記録媒体の使用または精算を行うオフラインモードのいずれのモードにおいて支払い価値が有価価値として価値付けられたかを示す価値付け区分を遊技用記録媒体に書き込ませるように貸出処理機を構成し、オンラインモード及びオフラインモードを切り替え、貸出処理機または記録媒体精算機が滞在している滞在モードが遊技用記録媒体に書き込まれた価値付け区分と一致するか否かを判定し、滞在モードと価値付け区分とが一致すると判定した場合に、遊技用記録媒体の使用または精算の自動処理を許可するように貸出処理機または記録媒体精算機を構成したので、管理装置との通信が途絶した場合でも遊技客に高額紙幣を使用させるとともに、システム管理を行う上で性質が異なる有価価値をそれぞれの価値付け区分と異なる運用モードで使用または精算されることがなくなり、システム管理が煩雑化することを防止しつつ、遊技客のプリペイドカードに係る利便性を向上させることが可能になるという効果を奏する。
【００１６】
また、本発明によれば、遊技用記録媒体に書き込まれた有価価値の価値高を表示させるように構成したので、オフライン状態になるまでにオンライン状態で価値付けされた有価価値、或いはその逆にオンライン状態になるまでにオフライン状態で価値付けされた有価価値を価値付け区分とは異なる滞在モードで手払い精算させることができ、有価価値の価値高が不明であることが原因で対応不能となる事態がなくなる結果、遊技客のプリペイドカードに係る利便性を多面的に向上させることが可能になるという効果を奏する。
【００１７】
また、本発明によれば、管理装置との通信可能であるか否かを判定し、管理装置との通信が不可能であると判定した場合には、オンラインモードからオフラインモードに切り替え、管理装置との通信が復旧したと判定した場合には、オフラインモードからオンラインモードに切り替えるように構成したので、貸出処理機または記録媒体精算機に対してモード切替え操作を行う必要がなくなり、モード切替えを迅速に行うことが可能になるという効果を奏する。
【００１８】
また、本発明によれば、中継装置と接続される他の貸出処理機に対してオンラインモード又はオフラインモードに切り替えるように指示するように構成したので、他の貸出処理機でのオフラインモードまたはオンラインモードへの切替え操作を省略させることができ、モード切替えを迅速に行うことが可能になるという効果を奏する。
【００１９】
また、本発明によれば、遊技用記録媒体の識別情報に対応付けて管理される有価価値を更新するように依頼し、更新依頼に応答して管理装置によって有価価値が更新されている途中で管理装置との通信が途絶した場合に、更新前の有価価値の価値高及び更新後の有価価値の価値高の両方を遊技用記録媒体に書き込ませるように構成したので、オンラインモード復旧後の自動精算またはオフラインモードでの手払い精算等で有価価値を精算する場合に遊技客にとってセーフティーな金額を精算させることができ、貸出対価の過徴収を防止することが可能になるという効果を奏する。
【発明を実施するための最良の形態】
【００２０】
以下に添付図面を参照して、本発明に係る遊技媒体貸出システムの好適な実施例を詳細に説明する。なお、以下では、本発明をパチンコ遊技に適用する場合について説明することとする。
【実施例１】
【００２１】
まず、本実施例１に係る遊技媒体貸出システムの概要及び特徴を説明する。図１は、実施例１に係る遊技店のプリペイドカードシステムのシステム構成を示す図である。このプリペイドカードシステム１は、プリペイドカードに価値付けられた有価価値に基づいてパチンコ玉の貸出サービスを提供するものである。
【００２２】
図１に示すように、プリペイドカードシステム１には、プリペイドカードに記録された識別情報（プリペイドカードＩＤ）に対応付けてそのプリペイドカードの有価価値（金額）を管理する管理装置であるターミナルコントローラ（以下、プリペイドカードＴ／Ｃと言う）１０と、島コントローラ２０と、カード処理ユニット（以下、「ＣＲユニット」と言う）３０と、パチンコ機４０と、カード精算機６０とが設けられている。
【００２３】
そして、プリペイドカードシステム１においては、プリペイドカードＴ／Ｃ１０を上位装置として、このプリペイドカードＴ／Ｃ１０に「島」と呼ばれるグループごとに上位装置及び下位装置間の中継装置として設けられた島コントローラ２０が接続され、この島コントローラ２０には、各島に設置された複数のパチンコ機４０にそれぞれに併設されたＣＲユニット３０が接続された接続関係を有する。なお、カード精算機６０は、島コントローラ２０を介することなく、プリペイドカードＴ／Ｃ１０に直接接続されている。
【００２４】
また、プリペイドカードＴ／Ｃ１０は、各遊技店（遊技店Ａ、Ｂ）の売上情報を統括管理する中央管理装置１００に公衆回線３を介して接続されている。この中央管理装置１００は、プリペイドカードシステム１を各遊技店にリースする事業者（以下、中央管理センタと言う）によって管理・運営される情報処理装置である。
【００２５】
ここで、かかるプリペイドカードシステム１においては、プリペイドカードの取扱いに関して３つの運用モードが存在し、この３つの運用モードのうち、ＣＲユニット３０およびカード精算機６０などの店内機器では、プリペイドカードＴ／Ｃ１０によってプリペイドカードＩＤに対応付けて管理されるプリペイド残額に基づいてプリペイドカードの使用または精算を行うオンラインモードを基本として店舗の運用を行う。
【００２６】
その一方で、プリペイドカードＴ／Ｃ１０と各島コントローラ２０との間を接続する図示しないＨＵＢ等が故障し、プリペイドカードＴ／Ｃ１０とＣＲユニット３０またはカード精算機６０との通信が担保されない状況（オフライン状態）下においては、たとえば千円紙幣等の低額紙幣だけを受け入れてその低額紙幣分のパチンコ玉をそのまま貸し出す玉貸しだけを許容し、プリペイドカードの使用および精算のいずれも禁止する低額オフラインモード、もしくはプリペイドカード自体に記録されたプリペイド残額に基づいてプリペイドカードの使用または精算を行う高額オフラインモードで店舗の運用を行う。
【００２７】
すなわち、プリペイドカードＴ／Ｃ１０と店内機器との通信が担保されている場合には、各店内機器ではオンラインモードでの運用が行われ、両者の通信が途絶した場合には、各店内機器の運用モードが低額オフラインモードに移行され、さらに、図１に示したリモコン７０を介して後述する特定の操作がなされたならば、高額オフラインモードでの運用が行われる。なお、特許請求の範囲に記載の「オフラインモード」は、本実施例で言う「高額オフラインモード」に相当する。
【００２８】
また、プリペイドカードシステム１においては、プリペイドカードに価値付けられるプリペイド残額についてもＣＲユニット３０によるプリペイド残額の価値付け時点がいずれの運用モードであるのかによってその属性が区別されたプリペイド残額としてプリペイドカード内に記録させるようにしている。
【００２９】
すなわち、プリペイドカードを用いた残額管理を行う運用モードとしては、オンラインモード及び高額オフラインモードが存在するが、オンラインモードの時に価値付けが行われた場合には、オンライン残額としてプリペイドカードに記録され、高額オフラインモードの時に価値付けが行われた場合には、オフライン残額としてプリペイドカードに記録される。なお、ここで言う「オンライン残額」及び「オフライン残額」は、残額を表すに留まらず、特許請求の範囲に記載の「価値付け区分」も同時に表す用語である。
【００３０】
なお、ここで言う「価値付け」とは、貨幣、電子マネーや所定の決済（例えば、デビット決済やクレジット決済）などの支払い価値を遊技への使用を前提としたプリペイド残額として電子的に受け付けたことを指し、例えば、オンラインモードにおいては、プリペイドカードＩＤに対応付けてオンライン残額をプリペイドカードＴ／Ｃ１０に登録させることを指し、また、高額オフラインモードにおいては、プリペイドカードにオフライン残額を書き込むこと、或いはプリペイドカードにオフライン残額を書き込むことを前提にオフライン残額を内部メモリ（後述する記憶部３７等）に保持することを指す。
【００３１】
プリペイドカードＴ／Ｃ１０は、図示しないカードマスタ管理テーブルを用いてプリペイドカードのオンライン残額を管理する管理装置であり、上記した各種店内機器（ＣＲユニット３０、パチンコ機４０及びカード精算機６０）が配設される遊技フロアとは区分けされた別の場所、たとえば遊技店の運営業務を行う事務所に配設される。このカードマスタ管理テーブルは、プリペイドカードＩＤにオンライン残額を対応付けて記憶している。例えば、ＣＲユニット３０で紙幣が挿入された場合には、ＣＲユニット３０から発行対象となる内蔵カードのプリペイドカードＩＤとともに挿入紙幣の金額を受け付け、当該プリペイドカードＩＤに挿入紙幣分の金額を価値付けた後、ＣＲユニット３０に「価値付け完了通知」を返信し、また、ＣＲユニット３０にてプリペイドカード挿入中に玉貸し操作がなされた場合には、ＣＲユニット３０からオンライン残額の減算依頼を受け付け、該減算依頼に含まれるプリペイドカードＩＤに対応するオンライン残額から貸出単位金額を減算して減算完了通知を返信する。
【００３２】
島コントローラ２０は、プリペイドカードＴ／Ｃ１０と複数のＣＲユニット３０との間で行われる通信を中継する中継装置であり、各「島」内のＣＲユニットネットワークケーブルを束ねる集線装置としての機能を有する。
【００３３】
パチンコ機４０は、パチンコ玉を遊技領域に発射して遊技者がパチンコ遊技を行う装置であり、本実施例１では、プリペイドカード対応のいわゆるＣＲパチンコ機であるものとしている。
【００３４】
ＣＲユニット３０は、パチンコ機４０に対して貸出対価徴収分の玉投出指示を行う装置であり、貸出対価の徴収は、玉貸し操作受付時の運用モードが上記した３つの運用モードのいずれに該当するかによってその徴収形態が相違する。
【００３５】
例えば、玉貸し操作受付時の運用モードがオンラインモードである場合には、オンライン残額が存在するプリペイドカードが挿入された状態で遊技客から玉貸し操作を受け付けると、その貸出対価を徴収するために、当該プリペイドカードのオンライン残額を減算するようにプリペイドカードＴ／Ｃ１０に依頼し、プリペイドカードＴ／Ｃ１０によってオンライン残額の減算処理が完了した旨が通知されると、パチンコ機４０に対して玉貸し指示を行う。一方、玉貸し操作受付時の運用モードが低額オフラインモードである場合には、千円紙幣などの低額紙幣を受け付けた時点で残額管理を行わずにそのままパチンコ機４０に対して受付金額分の玉貸し指示を行う。また、玉貸し操作受付時の運用モードが高額オンラインモードである場合には、内部メモリにオフライン残額が存在する状態で遊技客から玉貸し操作を受け付けると、内部メモリに記憶するオフライン残額を減算し、パチンコ機４０に対して玉貸し指示を行う。なお、本実施例１では、一度の玉貸し操作で玉貸し処理される貸出単位金額は原則的に固定（例えば、５００円固定）であるものとし、低額オフラインモードで玉貸しを行う場合に限り、貸出単位金額を低額紙幣（例えば、千円紙幣）相当とする。
【００３６】
また、このＣＲユニット３０は、島端等に配設されるカード発行機（図示せず）までプリペイドカードを購入させに行かせる不便を解消する観点から、後述するユニット内部のカード収納部３６ｂに発行用のプリペイドカード（有価価値が価値付けられていない残額なしのカード）を予め収納しており、上記したプリペイド残額の減算の他、プリペイドカードに対する価値付けを行う価値付け機能を有する。
【００３７】
例えば、紙幣受付時の運用モードがオンラインモードである場合には、カード収納部３６ｂに収納されたプリペイドカードのうち１枚のプリペイドカードを価値付け対象とし、プリペイドカードＴ／Ｃ１０に対して挿入紙幣相当のオンライン残額を加算するように依頼することによりプリペイドカードに対して現金の価値付けを行う。また、紙幣受付時の運用モードが高額オフラインモードである場合には、プリペイドカードにオフライン残額を将来的に書き込むことを前提に受入紙幣相当のオフライン残額を内部メモリに保持する。なお、低額オフラインモードである場合には、プリペイドカードの残額管理は一切行われず、当然のことながら価値付けも行われない。
【００３８】
カード精算機６０は、プリペイドカードに価値付けられたプリペイド残額の精算処理を行う装置である。例えば、プリペイドカードの受入時の運用モードがオンラインモードである場合には、当該プリペイドカードの残額を問い合わせ、その結果、オンライン残額が存在する場合には、精算ボタンの押下操作を受け付けてから、そのプリペイドカードを回収するとともに、問い合わせ結果として得たオンライン残額に相当する現金を払い出す。また、プリペイドカードの受入時の運用モードが高額オフラインモードである場合には、当該プリペイドカードから記録情報を読み取り、オフライン残額が存在するならば、オフライン残額に相当する現金を払い出す。なお、低額オフラインモードである場合には、オンライン残額およびオフライン残額ともに精算を行わない。
【００３９】
ここで、本実施例１に係るプリペイドカードシステム１は、ＣＲユニット３０が、所定の支払い価値を遊技への使用を前提としたプリペイド残額として受け付け、オンラインモードまたは高額オフラインモードのいずれのモードにおいて支払い価値をプリペイド残額として価値付けたかを示す価値付け区分をプリペイドカードに書き込ませ、ＣＲユニット３０またはカード精算機６０が、オンラインモード及び高額オフラインモードを切り替え、処理要求受付時に滞在している滞在モードがプリペイドカードに書き込まれた価値付け区分と一致するか否かを判定し、これら滞在モードと価値付け区分とが一致すると判定した場合に、プリペイドカードの使用または精算の自動処理を許可する点にその特徴がある。
【００４０】
すなわち、プリペイドカードシステム１は、支払い価値を価値付ける際に価値付け時のモードを価値付け区分として書き込んでおき、プリペイドカードＴ／Ｃ１０との通信が担保されている状況下ではオンライン残額の使用および精算を自動処理させる一方で、プリペイドカードＴ／Ｃ１０との通信が担保されていない状況下ではオフライン残額の使用および精算だけを自動処理させることで、オンラインモードまたは高額オフラインモードのいずれのモードにある場合でもプリペイドカードの残額管理を行い、さらには、システム管理上においてその性質が異なるオンライン残額およびオフライン残額がそれぞれに対応しない運用モードで使用または精算されることも防止することができるようにしている。
【００４１】
したがって、本実施例１に係るプリペイドカードシステム１によれば、プリペイドカードＴ／Ｃ１０と店内機器との通信が途絶した場合でも遊技客に高額紙幣を使用させるとともに、システム管理を行う上で性質が異なるプリペイド残額をそれぞれの価値付け区分と異なる運用モードで使用または精算されることがなくなり、システム管理が煩雑化することを防止しつつ、遊技客のプリペイドカードに係る利便性を向上させることが可能になる。
【００４２】
また、上述のように、本実施例１に係るプリペイドカードシステム１では、プリペイドカード自体にオフライン残額を書き込むことを基本とする高額オフラインモードだけでなく、プリペイドカードＴ／Ｃ１０上で残額管理が行われるオンライン残額についてもその残額をプリペイドカードに書き込ませるようにＣＲユニット３０を構成している。
【００４３】
このような構成の下、高額オフラインモードにおいてオンライン残額を使用または精算する自動処理またはオンラインモードにおいてオフライン残額を使用または精算する自動処理、すなわち滞在モードと価値付け区分とが異なる場合におけるプリペイドカードの使用または精算の自動処理を禁止する一方で、プリペイド残額を自動処理させずとも、かかる場合にプリペイドカード内に書き込まれたプリペイド残額を表示させるように構成すれば、特に、カード精算機６０においては、遊技店の係員にその表示内容（オンライン残額またはオフライン残額）を目視させて現金を手払いさせることができる。
【００４４】
このように、本実施例１に係るプリペイドカードシステム１によれば、滞在モードと価値付け区分とが異なる場合にプリペイドカード内に書き込まれたプリペイド残額をカード精算機６０の所定の表示部で表示させることで、オフライン状態になるまでにオンライン状態で購入されたオンライン残額、或いはその逆にオフライン残額を価値付け区分とは異なる滞在モードで手払い精算させることができ、プリペイド残額が不明であることが原因で対応不能となる事態がなくなる結果、遊技客のプリペイドカードに係る利便性を多面的に向上させることも可能になる。
【００４５】
［プリペイドカードシステムの構成］
続いて、本実施例１に係るプリペイドカードシステムを構成する各装置の構成について詳細に説明する。なお、以下では、図１に示したＣＲユニット３０の構成を説明してから同図に示したカード精算機６０の構成を説明することとする。
【００４６】
［ＣＲユニット３０の構成］
前述したように、本実施例１に係るＣＲユニット３０の構成について詳細に説明する。なお、ここでは、この実施例１に係るＣＲユニット３０の（１）外観構成を説明した後に、このＣＲユニット３０の（２）内部構成を説明する。
【００４７】
（１）外観構成
図２は、図１に示したＣＲユニット３０の外観を示した正面図である。同図に示すように、このＣＲユニット３０は、縦長の直方体型の筐体として構成したもので、その本体部前面の上寄りには、下方に向かって順に、状態表示ランプ３０１、カード状態表示ＬＥＤ３０２、リモコン受光部３１０、入金可能表示ＬＥＤ３０３が付設されている。
【００４８】
状態表示ランプ３０１は、当該ＣＲユニット３０が運用可能であるか否かを点灯色の切換えによって表すランプであり、例えば、「緑点灯」により運用可能な旨を表し、「赤点灯」により運用不能な旨を表す。
【００４９】
カード状態表示ＬＥＤ３０２は、当該ＣＲユニット３０に内蔵されるプリペイドカードの補充又は回収の要否を点灯／点滅によって表すＬＥＤであり、例えば、「点灯」によりプリペイドカードの補充が必要な旨を表し、「点滅」によりプリペイドカードの回収が必要な旨を表し、また、「消灯」によりプリペイドカードの補充及び回収が不要な旨を表す。
【００５０】
リモコン受光部３１０は、図１に示した専用のリモコン７０から照射される赤外線を受光する受光素子から構成され、リモコン７０から照射される赤外線を通じてＣＲユニット３０に対する各種操作（例えば、紙幣収納部３５ｃに対する解錠許可操作及び解錠操作やプリペイドカードの補充操作及び回収操作など）を受け付ける。
【００５１】
入金可能表示ＬＥＤ３０３は、当該ＣＲユニット３０に紙幣の入金が可能であるか否かを点灯／点滅によって表すＬＥＤであり、例えば、「点灯」により紙幣の入金が可能である旨を表し、また、「点滅」により紙幣の入金が不可能な旨を表す。
【００５２】
また、本体部前面の中央部には、高額紙幣（例えば、「一万円」、「五千円」や「二千円」など）を含む紙幣を挿入する紙幣挿入口３０８、プリペイドカードや会員カードなどの各種カードを挿入するカード挿入口３０９が設けられている。
【００５３】
さらに、本体部前面の下寄りには、下方に向かって順に、７ＳＥＧ表示部３０４、モード表示部３０５及び各種ボタン群（貸出ボタン３０６及び返却ボタン３０７等）が設けられている。
【００５４】
７ＳＥＧ表示部３０４は、７セグメントのＬＥＤから形成される表示部（６桁）であり、当該ＣＲユニット３０の各種データ表示（セグメントを組み合わせて表される数字やアルファベット等の記号によるデータ表示）を行うものである。例えば、情報ボタンの押下操作に応答して挿入紙幣の金額やプリペイドカードの残額を切替え表示したり、挿入中のカードが会員カードである場合には、貯玉数、再プレイ回数やポイントをさらに切替表示したりする。
【００５５】
モード表示部３０５は、７ＳＥＧ表示部３０４にてどのモードの情報が表示されているかを表示するものである。例えば、「プリペイド残額」、「貯玉数」、「再プレイ回数」または「ポイント」のうちいずれの情報を７ＳＥＧ表示部３０４に表示しているのかを該当ランプを点灯させることで表す。
【００５６】
貸出ボタン３０６は、遊技客による玉貸し要求を受け付ける操作ボタンであり、この貸出ボタン３０６が押下されると後述する制御部３８にてプリペイド残額の減算および玉投出指示が行われる。また、返却ボタン３０７は、遊技客によるプリペイドカードの返却要求を受け付ける操作ボタンであり、この返却ボタン３０７が押下されると挿入中のプリペイドカードがカード挿入口３０９から返却される。
【００５７】
（２）内部構成
次に、図３を用いて、図２に示したＣＲユニット３０の内部構成について説明する。図３は、図２に示したＣＲユニット３０の内部構成を示すブロック図である。図３に示すように、このＣＲユニット３０は、操作部３１と、表示部３２と、通信制御Ｉ／Ｆ部３３ａと、遊技機用通信Ｉ／Ｆ部３３ｂと、リモコン受光部３１０と、紙幣処理部３５と、カード処理部３６と、記憶部３７と、制御部３８とを備える。
【００５８】
操作部３１は、各種ボタン群、貸出ボタン３０６及び返却ボタン３０７などの総称であり、また、表示部３２は、図２に示した状態表示ランプ３０１、カード状態表示ＬＥＤ３０２、入金可能表示ＬＥＤ３０３、７ＳＥＧ表示部３０４及びモード表示部３０５などの総称である。
【００５９】
通信制御Ｉ／Ｆ部３３ａは、プリペイドカードＴ／Ｃ１０及び島コントローラ２０などの他の装置の間で各種通信の制御を行うインターフェースである。また、遊技機用通信Ｉ／Ｆ部３３ｂは、当該ＣＲユニット３０に併設されるパチンコ機４０との間で各種通信（例えば、玉投出指示や投出完了応答等）の制御を行うインターフェースである。
【００６０】
紙幣処理部３５は、紙幣挿入口３０８から挿入された紙幣を取り扱う処理部であり、ＢＶユニット部３５ａと、搬送機構部３５ｂと、紙幣収納部３５ｃと、施錠機構部３５ｄとを有する。
【００６１】
このうち、ＢＶユニット部３５ａは、紙幣挿入口３０８に挿入された紙幣の金種を識別する紙幣識別機であり、識別した挿入紙幣の金種を制御部３８に出力する。なお、挿入紙幣が偽造紙幣や識別不能な紙幣（保存状態が悪い紙幣）である場合には、当該紙幣を返却する。
【００６２】
搬送機構部３５ｂは、紙幣挿入口３０８からの受入紙幣を紙幣収納部３５ｃに搬送するローラ等の機構部である。紙幣収納部３５ｃは、紙幣を収納する収納部である。また、施錠機構部３５ｄは、紙幣収納部３５ｃを施錠するロック機構であり、リモコン７０からの解錠指示に応答して紙幣収納部３５ｃの施錠を解錠する。
【００６３】
カード処理部３６は、カード挿入口３０９から挿入された各種カードを取り扱う処理部であり、カードリーダライター３６ａと、カード収納部３６ｂと、搬送／繰出機構部３６ｃとを有する。
【００６４】
このうち、カードリーダライター３６ａは、カード挿入口３０９に挿入されたプリペイドカードや会員カードなどの各種カードに対して読み取りや書き込みを行う装置であり、例えば、プリペイドカードからプリペイドカードＩＤを読み取ったり、プリペイドカード内にオンライン残額またはオフライン残額を書き込んだりする。
【００６５】
カード収納部３６ｂは、プリペイド残額が価値付けられていないプリペイドカードを収納する収納部であり、遊技客がプリペイドカードを持参していなくとも現金により遊技可能にするため、事前に複数枚のプリペイドカードを収納したものである。例えば、遊技客によって紙幣が挿入されると、複数枚のプリペイドカードのうちの一枚がカードリーダライター３６ａの位置に繰り出され、現金による残額関連付けの対象とされる。
【００６６】
搬送／繰出機構部３６ｃは、各種カードの搬送／繰出を行う機構部である。具体的には、カード挿入口３０９から挿入されたプリペイドカードをカードリーダライター３６ａに搬送したり、カードリーダライター３６ａ内に保持されたプリペイドカードをカード収納部３６ｂに搬送したり、また、カード収納部３６ｂに収納された内蔵プリペイドカードをカードリーダライター３６ａに繰り出したり、カードリーダライター３６ａに保持されたプリペイドカードをカード挿入口３０９に繰り出したりする。
【００６７】
記憶部３７は、制御部３８による各種処理に必要なデータ（例えば、プリペイド残額、貸出単位金額やリモコン７０の操作権限など）およびプログラムを格納する格納手段（記憶手段）である。
【００６８】
制御部３８は、ＣＲユニット３０の全体制御を司る制御部であり、特に本発明に関連するものとしては、リモコン処理部３３０と、パスワード生成部３４０と、モード切替え部３５０と、カード管理部３６０と、書込制御部３７０と、玉貸し処理部３８０とを有する。
【００６９】
リモコン処理部３３０は、図示しないコマンド管理テーブルを用いて、リモコン受光部３１０を介してリモコン７０から受け付けた指令コードを解釈してその指令を指令先の機能部に通知する処理部である。例えば、指令コード「１」が高額オフラインモードの発動操作、指令コード「２」が高額オフラインモードの終了操作として上記したコマンド管理テーブルに登録されていたとした時、リモコン７０上で指令コード「１」に対応するキー操作がなされた場合には、高額オフラインモードの発動要求と解釈し、また、リモコン７０で指令コード「２」に対応するキー操作がなされた場合には、高額オフラインモードの終了要求と解釈し、これらの要求をモード切替え部３５０に通知する。なお、後述するように、高額オフラインモードを発動させるためのパスワードについてもリモコン受光部３１０を介してリモコン７０から受信する。
【００７０】
パスワード生成部３４０は、中央管理装置１００内のパスワード生成部１１０と同一の生成ロジックにしたがってパスワードを生成する処理部である。すなわち、中央管理センタの運営者が許可するもとで高額オフラインモードへの切替えが行われることを担保するために、高額オフラインモード発動時に中央管理センタから発行されるパスワードを用いた認証処理を高額オフラインモードの発動条件として組み込んでおり、中央管理装置１００とは隔絶されたＣＲユニット３０でパスワードの照合を可能ならしめるため、たとえば生成ロジックＡが当該パスワード生成部３４０、そして中央管理装置１００内のパスワード生成部１１０の双方に埋め込まれている。なお、かかる生成ロジックとしては、周知のものを任意に用いることができる。
【００７１】
モード切替え部３５０は、オンラインモード、低額オフラインモード及び高額オフラインモード間の運用モードを切り替える処理部であり、プリペイドカードＴ／Ｃ１０との通信状況を監視する通信状況監視部３５１を内在する。
【００７２】
具体的に説明すると、通信状況監視部３５１によってプリペイドカードＴ／Ｃ１０との通信が正常に確立していることが確認されている場合には、オンラインモードを維持しておき、通信状況監視部３５１によってプリペイドカードＴ／Ｃ１０との通信が途絶したことが検知された場合には、オンラインモードでの運用が不可能となるので、オンラインモードから低額オフラインモードに切り替える。このようにして低額オフラインモードに切り替えられた場合には、リモコン７０を介して高額オフラインモードの発動待機状態にあり、詳細は図９及び図１０を用いて後述するが、リモコン７０を介して受け付けた入力パスワードとパスワード生成部３４０によって生成された照合用パスワードとの照合を行い、パスワードによる照合に成功し、中央管理センタのメンテ員が高額オフラインモードの発動に介在していることを確認した場合には、低額オフラインモードから高額オフラインモードに切り替える。なお、高額オフラインモードからオンラインモードに切り替える場合にも同様のパスワード照合を行ってからオンラインモードに復帰させる。
【００７３】
このように、オンラインモード、低額オフラインモード及び高額オフラインモード間のモード切替えは、オンラインモードから低額オフラインモードに切り替える際にはプリペイドカードＴ／Ｃ１０との通信途絶を条件として自動的に行い、低額オフラインモードから高額オフラインモードへの切替え並びに高額オフラインモードからオンラインモードへの切替えについては、リモコン７０を介した操作を受け付けて行う。
【００７４】
カード管理部３６０は、プリペイドカードに関する各種処理を行う処理部であり、モード一致判定部３６１と、手払いフラグ判定部３６２と、オンライン残額更新依頼部３６３と、オフライン残額更新部３６４とを内在する。
【００７５】
このうち、モード一致判定部３６１は、ＣＲユニット３０が滞在している滞在モードがプリペイドカードに書き込まれた価値付け区分と一致するか否かを判定する処理部である。具体的には、プリペイドカードの挿入時もしくは紙幣による価値付け時に際して滞在モードと価値付け区分との一致の可否を判定するが、滞在モードがオンラインモードである場合には、プリペイドカードにオンライン残額が存在するか否かを判定し、オンライン残額が存在するならば、滞在モードと価値付け区分とが一致すると判定する。また、滞在モードが高額オフラインモードである場合には、プリペイドカードにオフライン残額が残っているか否かを判定し、オフライン残額が存在するならば、滞在モードと価値付け区分とが一致すると判定する。なお、本実施例１では、１つのプリペイドカードにオンライン残額およびオフライン残額の両方が共存するケースも想定しているが、必ずしも両方のプリペイド残額の価値付けを許容する必要はなく、排他的な価値付けだけを許容するようにしてもかまわない。
【００７６】
手払いフラグ判定部３６２は、プリペイドカードに価値付けられたプリペイド残額が既に遊技店の従業員により手払い精算が行われたか否かを判定する処理部である。具体的には、カード精算機６０によって手払い精算時に更新されるプリペイドカード内の手払いフラグがオンである場合には、手払い精算済みであると判定し、また、手払いフラグがオフである場合には、未精算であると判定する。
【００７７】
すなわち、カード精算機６０で滞在モードと異なる価値付け区分のプリペイド残額を従業員により手払い精算する際には、あくまで滞在モードと異なるプリペイド残額を参照させるだけであり、滞在モードと異なる価値区分のプリペイド残額を消し込むことはできないことから、手払い精算後もプリペイドカードＴ／Ｃ１０上でオンライン残額が存在したり、プリペイドカード内にオフライン残額が記録されていたりというシステム上の矛盾が生じることになる。
【００７８】
このため、手払い精算済みのプリペイドカードを従業員が故意に遊技客に渡したり、このようなプリペイドカードが悪意ある不正者に盗まれたりした場合には、かかるシステム上の矛盾を逆手にとって実際にはプリペイド残額が存在しないにもかかわらず、後に滞在モードと価値付け区分とが一致した状態で当該プリペイドカードをする不正行為が行われるおそれがある。
【００７９】
このような不正行為を監視する趣旨から、プリペイドカードの使用に際して、滞在モードと価値付け区分とが一致する場合でもプリペイドカード内に記録された手払いフラグのオンまたはオフを手払いフラグ判定部３６２に判定させることとしている。
【００８０】
オンライン残額更新依頼部３６３は、プリペイドカードＴ／Ｃ１０に対してオンライン残額の更新依頼を行う処理部である。具体的には、カード収納部３６ｂに内蔵されているプリペイドカードのプリペイドカードＩＤに対応付けて挿入紙幣の金額をプリペイドカードＴ／Ｃ１０に登録させることでプリペイドカードにオンライン残額を価値付けたり、挿入中のプリペイドカードのオンライン残額からパチンコ玉の貸出対価として貸出単位金額（本例では、「５００円」）を減算（徴収）するようにプリペイドカードＴ／Ｃ１０に依頼したり、また、カード挿入口３０９を介してプリペイドカードを受け入れた場合には、カードリーダライター３６ａを通じて読み取ったプリペイドカードＩＤに対応するオンライン残額をプリペイドカードＴ／Ｃ１０に問合せて取得したりもする。
【００８１】
オフライン残額更新部３６４は、プリペイドカードに価値付けられたオフライン残額を更新する処理部である。具体的には、プリペイドカードにオフライン残額を書き込むことを前提に挿入紙幣の金額を記憶部３７に保持させることでプリペイドカードにオフライン残額を実質的に価値付けたり、記憶部３７に保持中のオフライン残額からパチンコ玉の貸出対価として貸出単位金額を減算（徴収）したりする。
【００８２】
書込制御部３７０は、カードリーダライター３６ａによるプリペイドカードへの書き込みを制御する処理部である。具体的には、プリペイドカードの挿入時にプリペイドカードに記録されたプリペイド残額を消去させ、また、プリペイドカードの返却時にプリペイドカード内にオンライン残額またはオフライン残額を書き込ませる。なお、本実施例１では、高額オフラインモードにおいてカードの記録情報そのものに依存して玉貸しを行い、プリペイドカードの記録情報（特に、オフライン残額）が複製された偽装のコピーカードを使用する不正を予防する趣旨から高額オフラインモードでは外部からカードを受け入れないようＣＲユニット３０を構成することとするため、プリペイドカード内のオフライン残額を消去することはない。
【００８３】
また、書込制御部３７０は、モード切替え部３５０によってオンラインモードから低額オフラインモードに切り替えられた場合、或いは高額オフラインモードからオンラインモードに切り替えられた場合には、記憶部３７に保持されたプリペイド残額をプリペイドカードに書き込んでそのプリペイドカードを直ちに排出させる。なお、上述した説明では、オフライン残額のみを記憶部３７に保持していることを説明したが、オンライン残額についてもプリペイドカードＴ／Ｃ１０上のオンライン残額と同期して記憶部３７に保持されていることを追記する。
【００８４】
玉貸し処理部３８０は、パチンコ機４０に対して貸出対価徴収分の玉貸し指示を行う処理部である。具体的には、遊技機用通信Ｉ／Ｆ部３３ｂとパチンコ機４０内の通信Ｉ／Ｆ部（図示せず）との両者の間でＣＲユニット３０による１度の玉投出指示で所定数（例えば、２５個＝１００円）のパチンコ玉をパチンコ機４０が投出するという規定が設定されており、オンライン残額またはオフライン残額から貸出単位金額（本例では、５００円）が減算されると、貸出単位金額に相当する回数（５回）の玉投出指示をパチンコ機４０に行い、パチンコ機４０に貸出単位金額分のパチンコ玉（１２５個）を投出させる。なお、低額オフラインモードである場合には、低額紙幣（本例では、１０００円）が挿入されると直ちに低額紙幣に相当する回数の玉投出指示をパチンコ機４０に行い、パチンコ機４０に低額紙幣分のパチンコ玉（２５０個）を投出させる。
【００８５】
［カード精算機の構成］
本実施例１に係るカード精算機６０の構成について詳細に説明する。なお、ここでは、この実施例１に係るカード精算機６０の（１）外観構成を説明した後に、このカード精算機６０の（２）内部構成を説明する。
【００８６】
（１）外観構成
図４は、図１に示したカード精算機６０の外観を示した正面図である。同図に示すように、このカード精算機６０は、縦長の直方体型の筐体として構成したもので、その本体部前面の上寄りから下方に向かって順に、プリペイドカードの各種精算に係る表示を行うタッチパネル６１と、リモコン７０から照射される赤外線を受光するリモコン受光部６６と、プリペイドカードを挿入するカード挿入口６０１と、プリペイドカードの精算により紙幣を投出する紙幣投出口６０２と、プリペイドカードの精算により硬貨を投出する硬貨投出口６０３とを有する。
【００８７】
このカード精算機６０の正面に設けられた機能部または機構部は、プリペイドカードに価値付けられたプリペイド残額を貨幣に精算しようとする遊技客に対するマンマシンインタフェースであるのとともに、中央管理センタから派遣されるメンテ員や遊技店の従業員に高額オフラインモードの発動操作を行わせたり、タッチパネル６１上のナビ画面に従って手払い精算を行わせるためのものでもある。
【００８８】
プリペイドカードを精算しようとする遊技客は、タッチパネル６１に表示される画面の誘導にしたがってプリペイドカードをカード挿入口６０１に挿入し、そのプリペイドカードに滞在モードに対応する価値付け区分のプリペイド残額が存在する場合には、精算意思を確認する精算ボタンがタッチパネル６１上に表示される。遊技客がこの精算ボタンを押下操作すると、プリペイド残額分の現金が紙幣投出口６０２および硬貨投出口６０３から投出される。
【００８９】
また、従業員対応についての詳細は図９及び図１３を用いて詳述するが、概要としては、リモコン７０上での係員操作によって照射される赤外線がリモコン受光部６６を介してタッチパネル６１上に係員操作メニュを呼び出し、かかる係員操作メニューから「高額オフラインモード発動」または「手払い精算」が選択操作されると、リモコン７０を通じたパスワードの入力操作を行い、この入力パスワードの照合が行われた後に高額オフラインモードの発動や手払い精算の支援などの実効的な処理が行われる。
【００９０】
（２）内部構成
次に、図５を用いて、図４に示したカード精算機６０の内部構成について説明する。図５は、図４に示したカード精算機６０の内部構成を示すブロック図である。図５に示すように、このカード精算機６０は、タッチパネル６１と、通信Ｉ／Ｆ部６２と、カード処理部６３と、現金処理部６４と、プリンタ６５と、リモコン受光部６６と、記憶部６７と、制御部６８とを有する。
【００９１】
タッチパネル６１は、液晶パネルやディスプレイなどの表示デバイス上で操作入力を受け付けることができる表示可能かつ入力可能なデバイスであり、例えば、プリペイドカードの挿入を促す画面や精算金額（プリペイド残額）等を明示する精算画面などの精算に関する画面や手払い精算に関する画面（図１４参照）などを表示したり、また、これらの画面上に表示されたボタンを介して操作入力を受け付ける。なお、滞在モードとプリペイド残額の価値付け区分とが一致し、自動精算が行われる場合には、操作主体は遊技客または従業員のいずれでもよく、また、滞在モードとプリペイド残額の価値付け区分とが不一致であり、手払い精算が行われる場合には、操作主体は従業員に限られる。
【００９２】
通信Ｉ／Ｆ部６２は、カード精算機６０と他の装置（例えば、プリペイドカードＴ／Ｃ１０などの他の装置）との間で各種通信を行うためのインターフェースである。
【００９３】
カード処理部６３は、カード挿入口６０１から挿入された各種カードを取り扱う処理部であり、カードリーダライター６３ａと、カード収納部６３ｂと、搬送機構部６３ｃとを有する。
【００９４】
カードリーダライター６３ａは、カード挿入口６０１に挿入されたプリペイドカードの読み取りや書き込みを行う装置であり、カード収納部６３ｂは、プリペイドカードを収納する収納部であり、また、搬送機構部６３ｃは、精算完了済みのプリペイドカードをカード収納部６３ｂに搬送する機構部である。
【００９５】
現金処理部６４は、紙幣投出口６０２や硬貨投出口６０３から払い出す現金（貨幣）を取り扱う処理部であり、貨幣収納部６４ａと、施錠機構部６４ｂと、繰出機構部６４ｃとを有する。
【００９６】
貨幣収納部６４ａは、貨幣を収納する収納部であり、施錠機構部６４ｂは、貨幣収納部６４ａを施錠するロック機構であり、また、繰出機構部６４ｃは、貨幣収納部６４ａに収納された収納貨幣を図示しない紙幣投出口や硬貨投出口に繰り出す機構部である。
【００９７】
プリンタ６５は、印刷データを紙媒体に印字処理する印字装置であり、例えば、記憶部６７に記憶された各種データ（例えば、後述する精算履歴管理テーブル６７ａの記憶内容）を手払い票（図１５参照）として印字出力する。
【００９８】
リモコン受光部６６は、リモコン７０から照射される赤外線を受光する受光素子から構成され、リモコン７０から照射される赤外線を通じてカード精算機６０に対する各種操作（例えば、高額オフラインモードの発動操作ならびに手払い精算に関する操作など）を受け付ける。
【００９９】
記憶部６７は、制御部６８による各種処理に必要なデータ（例えば、プリペイド残額やリモコン７０の操作権限など）およびプログラムを格納する格納手段（記憶手段）であり、精算履歴管理テーブル６７ａを記憶する。
【０１００】
この精算履歴管理テーブル６７ａは、プリペイド残額の精算履歴を管理するテーブルであり、図６に示すように、精算を実行したプリペイドカードのプリペイドカードＩＤに精算区分、価値付け区分、精算時刻および精算金額などの精算情報を対応付けて記憶する。ここで、精算区分は、プリペイドカードの精算が自動精算または手払い精算のいずれであるのかを示す区分であり、精算区分「１」が自動精算を示し、精算区分「２」が手払い精算を示す。また、価値付け区分は、プリペイド残額がオンライン残額またはオフライン残額のいずれであるのかを示す区分であり、価値付け区分「１」がオンライン残額を示し、価値付け区分「２」がオフライン残額を示す。
【０１０１】
図６に示した例では、プリペイドカードＩＤ「０２１６１」のプリペイドカードについては、１１時５８分に１５００円のオンライン残額が自動精算され、また、プリペイドカードＩＤ「００４５６」のプリペイドカードについては、１３時１４分に４５００円のオンライン残額が手払い精算されたことを示している。
【０１０２】
このように、手払い精算された旨を履歴として記憶しておくのは、閉店後等に手払い票を印字出力して遊技店の管理者等に精算状況を把握させるとともに、プリペイドカード内の記録情報（オフライン残額）に基づいて自動精算が行われる高額オフラインモードにおいて同一のプリペイドカードＩＤのプリペイド残額が重複精算されることを防止するためである。
【０１０３】
すなわち、プリペイド残額をプリペイドカードそのものに記録させる場合には、オンラインモードのようにオンライン残額をプリペイドカードＴ／Ｃ１０に管理させる場合と異なり、コピーカードの使用に脆弱な面がある。つまり、オフライン残額が記録されたプリペイドカードをコピーしたコピーカードが不正使用された場合に、オフライン残額からだけでは不正使用を看破することは困難である。
【０１０４】
このため、オフライン残額について自動精算または手払い精算が行われたプリペイドカードのプリペイドカードＩＤを履歴として管理しておき、高額オフラインモードで自動精算が行われる際に精算対象のプリペイドカードＩＤを精算履歴に存在するプリペイドカードＩＤと突合することで、精算履歴に一致するプリペイドカードＩＤが存在する場合には重複精算が行われるおそれがある事実を看破することができるようにしている。
【０１０５】
制御部６８は、カード精算機６０を全体制御する制御部であり、パスワード生成部６１０と、モード切替え部６２０と、モード一致判定部６３０と、手払いフラグ判定部６４０と、精算履歴判定部６５０と、精算処理部６６０と、手払い支援部６７０と、書込制御部６８０とを有する。実際には、これらの機能部に対応するプログラムを図示しないＲＯＭや不揮発性メモリに記憶しておき、これらのプログラムをＣＰＵにロードして実行し、パスワード生成部６１０、モード切替え部６２０、モード一致判定部６３０、手払いフラグ判定部６４０、精算履歴判定部６５０、精算処理部６６０、手払い支援部６７０及び書込制御部６８０にそれぞれ対応するプロセスを実行させることになる。
【０１０６】
パスワード生成部６１０は、中央管理装置１００内のパスワード生成部１１０と同一の生成ロジックにしたがってパスワードを生成する処理部である。すなわち、中央管理センタの運営者が許可するもとで高額オフラインモードへの切替えが行われることを担保し、また、遊技店の管理者（紙幣の取扱い権限を有する者）によって手払い精算が行われることを担保するために、高額オフラインモード発動時または手払い精算の前段階に中央管理センタから発行されるパスワードを用いた認証処理を高額オフラインモードの発動条件として組み込んでおり、中央管理装置１００とは隔絶されたカード精算機６０でパスワードの照合を可能ならしめるため、たとえば生成ロジックＡが当該パスワード生成部６１０、そして中央管理装置１００内のパスワード生成部１１０の双方に埋め込まれている。なお、かかる生成ロジックとしては、パスワード生成部３４０と同様、周知のものを任意に用いることができる。
【０１０７】
モード切替え部６２０は、オンラインモード、低額オフラインモード及び高額オフラインモード間の運用モードを切り替える処理部であり、プリペイドカードＴ／Ｃ１０との通信状況を監視する通信状況監視部６２１を内在する。
【０１０８】
具体的に説明すると、通信状況監視部６２１によってプリペイドカードＴ／Ｃ１０との通信が正常に確立していることが確認されている場合には、オンラインモードを維持しておき、通信状況監視部６２１によってプリペイドカードＴ／Ｃ１０との通信が途絶したことが検知された場合には、オンラインモードでの運用が不可能となるので、オンラインモードから低額オフラインモードに切り替える。このようにして低額オフラインモードに切り替えられた場合には、リモコン７０を介して高額オフラインモードの発動待機状態にあり、リモコン７０を介して受け付けた入力パスワードとパスワード生成部６１０によって生成された照合用パスワードとの照合を行い、パスワードによる照合に成功し、中央管理センタのメンテ員が高額オフラインモードの発動に介在していることを確認した場合には、低額オフラインモードから高額オフラインモードに切り替える。なお、高額オフラインモードからオンラインモードに切り替える場合にも同様のパスワード照合を行ってからオンラインモードに復帰させる。
【０１０９】
モード一致判定部６３０は、カード精算機６０が滞在している滞在モードがプリペイドカードに書き込まれた価値付け区分と一致するか否かを判定する処理部である。具体的には、プリペイドカードの挿入時に際して滞在モードと価値付け区分との一致の可否を判定するが、滞在モードがオンラインモードである場合には、プリペイドカードにオンライン残額が存在するか否かを判定し、オンライン残額が存在するならば、滞在モードと価値付け区分とが一致すると判定する。また、滞在モードが高額オフラインモードである場合には、プリペイドカードにオフライン残額が残っているか否かを判定し、オフライン残額が存在するならば、滞在モードと価値付け区分とが一致すると判定する。
【０１１０】
手払いフラグ判定部６４０は、プリペイドカードに価値付けられたプリペイド残額が既に遊技店の従業員により手払い精算が行われたか否かを判定する処理部である。具体的には、後述する手払い支援部６７０によって手払い精算時に更新されるプリペイドカード内の手払いフラグがオンである場合には、手払い精算済みであると判定し、また、手払いフラグがオフである場合には、未精算であると判定する。
【０１１１】
精算履歴判定部６５０は、カードリーダライター６３ａによって読み取られたプリペイドカードＩＤが精算履歴管理テーブル６７ａ内に登録されているか否かを判定する処理部である。つまり、自動精算または手払い精算が既に行われているプリペイドカードについて重複して精算が行われるか否かを判定しており、かかる同一ＩＤの重複精算の可否を判定することにより、手払い精算済みのプリペイドカードを故意に重複精算する不正行為（システム管理上の矛盾点を逆手に取った不正行為）をはじめ、プリペイドカードの記録情報（例えば、店舗コード、営業日付、号機、取引番号、プリペイドカードＩＤおよびプリペイド残額）を複製したコピーカードを使用する不正行為を看破・予防することができるようにしている。
【０１１２】
精算処理部６６０は、プリペイドカードに関連付けられたプリペイド残額を貨幣に精算する処理部であり、オンライン残額を貨幣に自動精算するオンライン残額精算部６６１と、オフライン残額を貨幣に自動精算するオフライン残額精算部６６２とを内在する。
【０１１３】
より具体的には、カード精算機６０の滞在モードがオンラインモードである場合に、モード一致判定部６３０によってオンライン残額が存在すると判定されたならば、プリペイドカードＴ／Ｃ１０に対してカードリーダライター６３ａによって読み取られたプリペイドカードＩＤに対応するオンライン残額を消し込むように依頼し、プリペイドカードＴ／Ｃ１０からの消込み完了通知に応答してオンライン残額分の貨幣を現金処理部６４を通じて投出させる。また、カード精算機６０の滞在モードが高額オフラインモードである場合に、モード一致判定部６３０によってオフライン残額が存在すると判定されたならば、カードリーダライター６３ａによって読み取られたオフライン残額分の貨幣を現金処理部６４を通じて投出させる。なお、貨幣投出後には、精算履歴管理テーブル６７ａ内の精算履歴が更新される。
【０１１４】
手払い支援部６７０は、プリペイドカードの手払い精算を支援する処理部であり、タッチパネル６１に対する表示制御を行う表示制御部６７１を内在する。詳細は図１３及び図１４を用いて後述するが、概要としては、遊技店の管理者が介在するもとで手払い精算が行われようとしていることを確認するために、中央管理センタが関与するパスワードをリモコン７０を通じて入力させるように画面誘導し、かかるパスワードの入力後に照合用パスワードとが一致した場合に、滞在モードとは異なる価値付け区分のプリペイド残額を表示させることにより、遊技店の管理者が手払いにより現金を精算することができるようにしている。
【０１１５】
書込制御部６８０は、カードリーダライター６３ａによるプリペイドカードへの書き込みを制御する処理部である。例えば、精算処理部６６０によってプリペイド残額分の貨幣が払い出された場合には、プリペイドカード内のプリペイド残額を消去し、手払い支援部６７０によって手払い精算が実行された場合には、プリペイドカード内の手払いフラグをオフからオンに更新する。
【０１１６】
［処理の流れ］
次に、本実施例１に係るプリペイドカードシステムの処理の流れを説明する。なお、以下では、（１）オンラインモード時の玉貸し処理、（２）オンラインモード時の自動精算処理、（３）高額オフラインモードへの切替え処理、（４）対プリペイドカードＴ／Ｃの通信途絶時の玉貸し処理、（５）高額オフラインモード時の自動精算処理、（６）手払い支援処理の順に説明する。
【０１１７】
（１）オンラインモード時の玉貸し処理
前述したように、ここでは、本実施例１に係るオンラインモード時の玉貸し処理について詳細に説明する。図７は、実施例１に係るオンラインモード時の玉貸し処理の手順を示すフローチャートである。この処理は、ＣＲユニット３０の滞在モードがオンラインモードである場合に行われる処理である。
【０１１８】
同図に示すように、カード挿入口３０９よりプリペイドカードが挿入されると（ステップＳ１０１肯定）、カード管理部３６０は、プリペイドカードにオフライン残額が存在するか否かを判定する（ステップＳ１０２）。
【０１１９】
このとき、オフライン残額が存在する場合（ステップＳ１０２肯定）には、カード管理部３６０は、滞在モードと対応しない価値付け区分のプリペイドカードを受け入れない趣旨から、搬送／繰出機構部３６ｃに対してプリペイドカードの返却指示を行って当該プリペイドカードをカード挿入口３０９に繰り出させ、プリペイドカードを返却し（ステップＳ１１５）、そのまま処理を終了する。
【０１２０】
一方、オフライン残額が存在しない場合（ステップＳ１０２否定）には、カード管理部３６０は、挿入されたプリペイドカードのプリペイドカードＩＤに対応するオンライン残額をプリペイドカードＴ／Ｃ１０に問い合わせ（ステップＳ１０３）、書込制御部３７０は、プリペイドカードに記録されているオンライン残額を消去し（ステップＳ１０４）、この問合せにより得られたオンライン残額を７ＳＥＧ表示部３０４に表示させる（ステップＳ１０５）。
【０１２１】
また、紙幣挿入口３０８より紙幣が挿入されると（ステップＳ１０６肯定）、搬送／繰出機構部３６ｃは、カード収納部３６ｂに収納された内蔵のプリペイドカードをカードリーダライター３６ａに繰り出し、カード管理部３６０は、ＢＶユニット部３５ａにて判別された挿入紙幣の金額を当該プリペイドカードに価値付けた後に（ステップＳ１０７）、プリペイドカードに価値付けたオンライン残額を７ＳＥＧ表示部３０４に表示させる（ステップＳ１０５）。
【０１２２】
ここで、モード一致判定部３６１は、プリペイドカードにオンライン残額が存在するか否か、すなわちＣＲユニット３０の滞在モードがプリペイドカードに書き込まれた価値付け区分と一致するか否かを判定する（ステップＳ１０８）。
【０１２３】
このとき、モード一致判定部３６１によってプリペイドカードにオンライン残額が存在すると判定された場合（ステップＳ１０８肯定）には、手払いフラグ判定部３６２は、プリペイドカード内に記録された手払いフラグがオフであるか否かをさらに判定する（ステップＳ１０９）。
【０１２４】
その結果、手払いフラグがオフであるならば（ステップＳ１０９肯定）には、カード管理部３６０は、貸出待機状態（ステップＳ１１０）に移行させ、その後、貸出ボタン３０６の押下操作を受け付けると（ステップＳ１１０肯定）、オンライン残額更新依頼部３６３は、挿入中のプリペイドカードのオンライン残額からパチンコ玉の貸出対価として貸出単位金額を減算するようにプリペイドカードＴ／Ｃ１０に依頼し（ステップＳ１１１）、プリペイドカードＴ／Ｃ１０から減算完了応答を受け付けると、玉貸し処理部３８０は、貸出単位金額に相当する回数の玉投出指示をパチンコ機４０に行い（ステップＳ１１２）、パチンコ機４０に貸出単位金額分のパチンコ玉を投出させる。
【０１２５】
また、貸出待機状態移行後に返却ボタン３０７の押下操作を受け付けた場合（ステップＳ１１３肯定）には、書込制御部３７０は、カードリーダライター３６ａを通じてプリペイドカードにオンライン残額を書き込み（ステップＳ１１４）、搬送／繰出機構部３６ｃに対してプリペイドカードの返却指示を行って当該プリペイドカードをカード挿入口３０９に繰り出させ（ステップＳ１１５）、処理を終了する。
【０１２６】
一方、モード一致判定部３６１によってプリペイドカードにオンライン残額が存在しないと判定された場合、すなわち残額なしのプリペイドカードを受け入れた場合や上記したステップＳ１１１でのオンライン残額の減算によりオンライン残額がゼロになった場合（ステップＳ１０８否定）には、プリペイドカードにプリペイド残額が存在しないこととなるため、カード管理部３６０は、搬送／繰出機構部３６ｃにプリペイド残額なしのプリペイドカードをカード収納部３６ｂに収納させ（ステップＳ１１６）、処理を終了する。
【０１２７】
また、手払いフラグ判定部３６２によって手払いフラグがオンであると判定された場合（ステップＳ１０９否定）には、手払い精算済みのプリペイドカードを重複精算されるおそれがあるため、カード管理部３６０は、貸出待機状態（ステップＳ１１０）に移行せずに、搬送／繰出機構部３６ｃに対してプリペイドカードの返却指示を行って当該プリペイドカードをカード挿入口３０９に繰り出させ（ステップＳ１１５）、処理を終了する。なお、この場合には、不正行為が行われている可能性が高いため、遊技店の従業員に対して不正報知（例えば、状態表示ランプ３０１の赤点滅制御、従業員が携帯するインカムに対する音声通知）を行うようにしてもよい。
【０１２８】
（２）オンラインモード時の自動精算処理
次に、本実施例１に係るオンラインモード時の自動精算処理について詳細に説明する。図８は、実施例１に係るオンラインモード時の自動精算処理の手順を示すフローチャートである。この処理は、カード精算機６０の滞在モードがオンラインモードである場合に行われる処理である。
【０１２９】
同図に示すように、カード挿入口６０１からプリペイドカードが挿入されると（ステップＳ２０１肯定）、精算処理部６６０は、プリペイドカードにオフライン残額が存在するか否かを判定する（ステップＳ２０２）。
【０１３０】
このとき、プリペイドカードにオフライン残額が存在すれば（ステップＳ２０２肯定）、精算処理部６６０は、滞在モードと対応しない価値付け区分のプリペイドカードを受け入れない趣旨から、カード挿入口６０１からプリペイドカードを返却し（ステップＳ２１２）、そのまま処理を終了する。
【０１３１】
一方、プリペイドカードにオフライン残額が存在しなければ（ステップＳ２０２否定）、オンライン残額精算部６６１は、カードリーダライター６３ａによってプリペイドカードから読み取られたプリペイドカードＩＤのオンライン残額をプリペイドカードＴ／Ｃ１０に問い合わせ（ステップＳ２０３）、この問合せ結果により得られたオンライン残額をタッチパネル６１に表示させる（ステップＳ２０４）。
【０１３２】
ここで、モード一致判定部６３０は、プリペイドカードにオンライン残額が存在するか否か、すなわちカード精算機６０の滞在モードがプリペイドカードに書き込まれた価値付け区分と一致するか否かを判定する（ステップＳ２０５）。
【０１３３】
このとき、モード一致判定部６３０によってプリペイドカードにオンライン残額が存在すると判定された場合（ステップＳ２０５肯定）には、手払いフラグ判定部６４０は、プリペイドカード内に記録された手払いフラグがオフであるか否かをさらに判定する（ステップＳ２０６）。
【０１３４】
その結果、手払いフラグ判定部６４０によって手払いフラグがオフであると判定された場合（ステップＳ２０６肯定）には、オンライン残額精算部６６１は、タッチパネル６１上に精算を実行する精算ボタンおよび精算をキャンセルするキャンセルボタンを表示させて精算待機状態（ステップＳ２０７）に移行する。
【０１３５】
一方、モード一致判定部６３０によってプリペイドカードにオンライン残額が存在しないと判定された場合（ステップＳ２０５否定）には、プリペイドカードにプリペイド残額が存在しないこととなるため、精算処理部６６０は、当該プリペイドカードをカード収納部６３ｂに収納し（ステップＳ２１１）、処理を終了する。
【０１３６】
また、手払いフラグ判定部６４０によって手払いフラグがオンであると判定された場合（ステップＳ２０６否定）には、精算処理部６６０は、カード挿入口６０１からプリペイドカードを返却し（ステップＳ２１２）、処理を終了する。なお、この場合には、不正行為が行われている可能性が高いため、遊技店の従業員に対して不正報知（例えば、タッチパネル６１の表示制御、従業員が携帯するインカムに対する音声通知）を行うようにしてもよい。
【０１３７】
ここで、精算待機状態で精算ボタンの押下操作を受け付けた場合（ステップＳ２０７肯定）には、オンライン残額精算部６６１は、カードリーダライター６３ａによってプリペイドカードから読み取られたプリペイドカードＩＤのオンライン残額を消し込むようにプリペイドカードＴ／Ｃ１０に依頼する（ステップＳ２０８）。
【０１３８】
この消込み依頼に応答してプリペイドカードＴ／Ｃ１０から消込み完了応答を受け付けると、オンライン残額精算部６６１は、残額の消込みを行ったプリペイドカードのプリペイドカードＩＤ、精算区分、価値付け区分、精算時刻および精算金額などの精算情報を精算履歴管理テーブル６７ａに登録し、プリペイドカード内のオンライン残額を書込制御部６８０に消去させ（ステップＳ２０９）、オンライン残額分の貨幣を現金処理部６４を通じて投出させ（ステップＳ２１０）、当該プリペイドカードをカード収納部６３ｂに収納し（ステップＳ２１１）、処理を終了する。なお、この場合、オンラインモードにおける自動精算であるため、精算区分及び価値付け区分についてはそれぞれ区分「１」が精算履歴管理テーブル６７ａに登録される。
【０１３９】
（３）高額オフラインモードへの切替え処理
次に、本実施例１に係る高額オフラインモードへの切替え処理について詳細に説明する。図９は、実施例１に係る高額オフラインモードへの切替え処理の手順を示すフローチャートである。この処理は、ＣＲユニット３０又はカード精算機６０の滞在モードが低額オフラインモードである場合に行われる処理であり、図９に示したフローチャートではＣＲユニット３０で行われる一例を示している。
【０１４０】
同図に示すように、リモコン７０からの高額オフラインモードの発動要求をリモコン受光部３１０を介して受け付けると（ステップＳ３０１肯定）、リモコン処理部３３０は、高額オフラインモードを発動するために必要なパスワードの入力をリモコン７０からさらに受け付ける（ステップＳ３０２）。
【０１４１】
ここで、モード切替え部３５０は、リモコン処理部３３０によって受け付けられた入力パスワードがパスワード生成部３４０によって生成された照合用パスワードと一致するか否かを判定する（ステップＳ３０３）。
【０１４２】
図１０に示すように、中央管理装置１００のパスワード生成部１１０は、ＣＲユニット３０のパスワード生成部３４０によって生成される生成ロジックＡと同一の生成ロジックで入力パスワードを生成しており、この入力パスワードは、中央管理センタを介してしか入手することができない。すなわち、プリペイドカードＴ／Ｃ１０が機能障害に陥った状況を中央管理センタから派遣されたメンテ員や遊技店の管理者等の遊技店運用に直接関わる者が中央管理センタの運営者に所望の通信手段（例えば、電話や電子メールなど）を介して伝達し、中央管理センタの運営者によって当該遊技店における高額オフラインモードの発動を許可すべきと判断されると、たとえばパスワード生成部１１０によって生成された入力パスワードが添付された電子メールをメールサーバ１５０を介して遊技店の管理者所有の通信端末８００で受け取る。この入力パスワードがリモコン７０を通じてＣＲユニット３０に入力されると、パスワード生成部３４０によって生成された照合用パスワードと照合され、高額オフラインモードの発動条件を１つクリアすることになる。
【０１４３】
このように、入力パスワードの入手経路を限定したのは、中央管理センタの運営者が許可するもとで高額オフラインモードが発動されることを担保するとともに、一般の従業員等の遊技店運営に関知しない者によって高額オフラインモードが発動されることを防止するためである。
【０１４４】
図９の説明に戻り、入力パスワードが照合用パスワードと一致した場合（ステップＳ３０３肯定）には、モード切替え部３５０は、当該ＣＲユニット３０の滞在モードを高額オフラインモードに切り替えるとともに（ステップＳ３０４）、当該ＣＲユニット３０と同一の島に所属する他のＣＲユニット３０に直近上位の島コントローラ２０を介して高額オフラインモードへの切替えを指示し（ステップＳ３０５）、処理を終了する。
【０１４５】
一方、入力パスワードが照合用パスワードと一致しない場合（ステップＳ３０３否定）には、モード切替え部３５０は、表示部３２に発動ＮＧを示す画面表示を行って高額オフラインモードが発動不能な旨を報知し（ステップＳ３０６）、処理を終了する。
【０１４６】
このように、島コントローラ２０を介して接続される他のＣＲユニット３０に対して高額オフラインモードへの切替えを指示することにより、他のＣＲユニット３０での高額オフラインモードの発動操作を省略させることができ、高額オフラインモードへの切替えを迅速に行うことが可能になる。
【０１４７】
なお、図９に示した例では、ＣＲユニット３０において高額オフラインモードを発動する処理を説明したが、カード精算機６０において高額オフラインモードを発動する場合にも同様の処理が行われる。
【０１４８】
（４）対プリペイドカードＴ／Ｃの通信途絶時の玉貸し処理
次に、本実施例１に係る対プリペイドカードＴ／Ｃの通信途絶時の玉貸し処理について詳細に説明する。図１１は、実施例１に係る対プリペイドカードＴ／Ｃの通信途絶時の玉貸し処理の手順を示すフローチャートである。この処理は、ＣＲユニット３０の滞在モードが低額オフラインモードまたは高額オフラインモードである場合に行われる処理である。なお、図１１に示したフローチャートでは、偽装のコピーカードを使用する不正を予防する趣旨から外部からカードを受け入れない場合を例示している。
【０１４９】
同図に示すように、紙幣挿入口３０８より紙幣が挿入されると（ステップＳ４０１肯定）、カード管理部３６０は、ＣＲユニット３０の滞在モードが高額オフラインモードであるのか否かを判定する（ステップＳ４０２）。
【０１５０】
このとき、滞在モードが低額オフラインモードである場合（ステップＳ４０２否定）には、カード管理部３６０は、挿入紙幣が低額オフラインモード指定の紙幣（本例では、千円札）であるか否かをさらに判定する（ステップＳ４０３）。
【０１５１】
そして、挿入紙幣が低額オフラインモード指定の紙幣である場合（ステップＳ４０３肯定）には、玉貸し処理部３８０は、当該紙幣に相当する回数の玉投出指示をパチンコ機４０に行い（ステップＳ４０４）、パチンコ機４０に低額紙幣分のパチンコ玉（２５０個）を投出させ、また、挿入紙幣が低額オフラインモード指定の紙幣ではない場合（ステップＳ４０３否定）には、紙幣挿入口３０８から挿入紙幣をそのまま返却し（ステップＳ４０５）、処理を終了する。
【０１５２】
一方、滞在モードが高額オフラインモードである場合（ステップＳ４０２肯定）には、オフライン残額更新部３６４は、内蔵のプリペイドカードにオフライン残額を書き込むことを前提に挿入紙幣の金額を記憶部３７に保持させることでプリペイドカードにオフライン残額を実質的に価値付け（ステップＳ４０６）、そのオフライン残額を７ＳＥＧ表示部３０４に表示させる（ステップＳ４０７）。
【０１５３】
ここで、モード一致判定部３６１は、プリペイドカードにオフライン残額が存在するか否か、すなわちＣＲユニット３０の滞在モードがプリペイドカードに書き込まれた価値付け区分と一致するか否かを判定する（ステップＳ４０８）。なお、当然のことながら、価値付け直後にはオフライン残額が存在することになる。
【０１５４】
このとき、モード一致判定部３６１によってプリペイドカードにオフライン残額が存在すると判定された場合（ステップＳ４０８肯定）には、カード管理部３６０は、貸出待機状態（ステップＳ４０９）に移行させ、その後、貸出ボタン３０６の押下操作を受け付けると（ステップＳ４０９肯定）、オフライン残額更新部３６４は、記憶部３７に保持中のオフライン残額からパチンコ玉の貸出対価として貸出単位金額を減算し（ステップＳ４１０）、玉貸し処理部３８０は、貸出単位金額に相当する回数の玉投出指示をパチンコ機４０に行い（ステップＳ４１１）、パチンコ機４０に貸出単位金額分のパチンコ玉を投出させる。
【０１５５】
また、貸出待機状態移行後に返却ボタン３０７の押下操作を受け付けた場合（ステップＳ４１３肯定）には、書込制御部３７０は、カードリーダライター３６ａを通じてプリペイドカードにオフライン残額を書き込み（ステップＳ４１４）、搬送／繰出機構部３６ｃに対してプリペイドカードの返却指示を行って当該プリペイドカードをカード挿入口３０９に繰り出させ（ステップＳ４１５）、処理を終了する。
【０１５６】
そして、記憶部３７に保持されたオフライン残額がゼロになるか、或いは返却ボタン３０７が押下されるまでは（ステップＳ４０８肯定またはステップＳ４１３否定）、上記したステップＳ４０８〜ステップＳ４１１までの処理を繰り返し行い、記憶部３７に保持されたオフライン残額がゼロになれば（ステップＳ４０８否定）、処理を終了する。
【０１５７】
（５）高額オフラインモード時の自動精算処理
次に、本実施例１に係る高額オフラインモード時の自動精算処理について詳細に説明する。図１２は、実施例１に係る高額オフラインモード時の自動精算処理の手順を示すフローチャートである。この処理は、カード精算機６０の滞在モードが高額オフラインモードである場合に行われる処理である。
【０１５８】
同図に示すように、カード挿入口６０１からプリペイドカードが挿入されると（ステップＳ５０１肯定）、精算処理部６６０は、プリペイドカードにオンライン残額が存在するか否かを判定する（ステップＳ５０２）。
【０１５９】
このとき、プリペイドカードにオンライン残額が存在すれば（ステップＳ５０２肯定）、精算処理部６６０は、滞在モードと対応しない価値付け区分のプリペイドカードを受け付けない趣旨から、カード挿入口６０１からプリペイドカードを返却し（ステップＳ５１２）、そのまま処理を終了する。
【０１６０】
一方、プリペイドカードにオンライン残額が存在しなければ（ステップＳ５０２否定）、カードリーダライター６３ａは、プリペイドカードに記録されたオフライン残額を読み取り（ステップＳ５０３）、そのオフライン残額をタッチパネル６１に表示させる（ステップＳ５０４）。
【０１６１】
ここで、モード一致判定部６３０は、プリペイドカードにオフライン残額が存在するか否か、すなわちカード精算機６０の滞在モードがプリペイドカードに書き込まれた価値付け区分と一致するか否かを判定する（ステップＳ５０５）。
【０１６２】
このとき、モード一致判定部６３０によってプリペイドカードにオフライン残額が存在すると判定された場合（ステップＳ５０５肯定）には、精算履歴判定部６５０は、カードリーダライター６３ａによって読み取られたプリペイドカードＩＤが精算履歴管理テーブル６７ａ内に登録されているか否かをさらに判定する（ステップＳ５０６）。
【０１６３】
その結果、精算履歴判定部６５０によって精算履歴管理テーブル６７ａにプリペイドカードＩＤが登録されていないと判定された場合（ステップＳ５０６否定）には、オフライン残額精算部６６２は、タッチパネル６１上に精算を実行する精算ボタンおよび精算をキャンセルするキャンセルボタンを表示させて精算待機状態（ステップＳ５０７）に移行する。
【０１６４】
その後、精算ボタンの押下操作を受け付けた場合（ステップＳ５０７肯定）には、オフライン残額精算部６６２は、オフライン残額分の貨幣を現金処理部６４を通じて投出させ（ステップＳ５０８）、自動精算を行ったプリペイドカードのプリペイドカードＩＤ、精算区分、価値付け区分、精算時刻および精算金額などの精算情報を精算履歴管理テーブル６７ａに登録し（ステップＳ５０９）、プリペイドカード内のオフライン残額を書込制御部６８０に消去させ（ステップＳ５１０）、当該プリペイドカードをカード収納部６３ｂに収納し（ステップＳ５１１）、処理を終了する。なお、この場合、高額オフラインモードにおける自動精算であるため、精算区分については区分「１」（＝自動精算）、価値付け区分については区分「２」（＝オフライン価値）がそれぞれ精算履歴管理テーブル６７ａに登録される。
【０１６５】
一方、モード一致判定部６３０によってプリペイドカードにオフライン残額が存在しないと判定された場合（ステップＳ５０５肯定）には、プリペイドカードにプリペイド残額が存在しないこととなるため、精算処理部６６０は、当該プリペイドカードをカード収納部６３ｂに収納し（ステップＳ５１１）、処理を終了する。
【０１６６】
また、精算履歴判定部６５０によって精算履歴管理テーブル６７ａにプリペイドカードＩＤが登録されていると判定された場合（ステップＳ５０６肯定）には、精算処理部６６０は、カード挿入口６０１からプリペイドカードを返却し（ステップＳ５１２）、処理を終了する。なお、この場合には、不正行為が行われている可能性が高いため、遊技店の従業員に対して不正報知（例えば、タッチパネル６１の表示制御、従業員が携帯するインカムに対する音声通知）を行うようにしてもよい。
【０１６７】
（６）手払い支援処理
次に、本実施例１に係る手払い支援処理について詳細に説明する。図１３は、実施例１に係る手払い支援処理の手順を示すフローチャートである。図１４は、図１３に示した手払い支援処理で表示される画面の遷移例を示す図である。この処理は、カード精算機６０の滞在モードがオンラインモードおよび高額オフラインモード（低額オフラインモード以外の運用モード）である場合に係員立会いの下で行われる処理であり、図１４では、高額オフラインモード時に手払い精算する場合の画面の遷移例を示している。
【０１６８】
図１３に示すように、リモコン７０上での係員操作によってタッチパネル６１上に係員操作メニュ画面が呼び出され、かかる係員操作メニュー画面から「手払い精算」が選択操作されると（ステップＳ６０１）、手払い支援部６７０は、遊技店の管理者が介在するもとで手払い精算が行われようとしていることを確認するためにパスワード照合が行われたか否かを判定する（ステップＳ６０２）。なお、図１４に示すカード手払いの開始意思を確認する画面上におけるプリントボタンが押下操作されると、精算履歴管理テーブル６７ａによって記憶された精算履歴（図６参照）の内容が図１５に示した「手払い票」としてプリンタ６５によって印字出力される。かかる「手払い票」は、遊技店の管理者等に精算状況を把握させるためのものである。
【０１６９】
このとき、未だパスワード照合が行われていない場合（ステップＳ６０２否定）には、手払い支援部６７０は、中央管理センタが関与するパスワードを入力させるパスワード入力画面をタッチパネル６１上に表示させ（ステップＳ６０３）、リモコン７０を通じてパスワードの入力を受け付ける（ステップＳ６０４）。
【０１７０】
ここで、手払い支援部６７０は、リモコン７０から受け付けた入力パスワードがパスワード生成部６１０によって生成された照合用パスワードと一致するか否かを判定する（ステップＳ６０５）。
【０１７１】
このとき、入力パスワードが照合用パスワードと一致しなかった場合（ステップＳ６０５否定）には、手払い支援部６７０は、パスワードがＮＧである旨を報知するエラー報知画面をタッチパネル６１に表示させ（ステップＳ６０６）、そのまま処理を終了する。
【０１７２】
一方、入力パスワードが照合用パスワードと一致した場合（ステップＳ６０５肯定）には、手払い支援部６７０は、手払い精算の対象とするプリペイドカードの挿入を促すカード挿入喚起画面をタッチパネル６１に表示させ（ステップＳ６０７）、プリペイドカードの受付待機状態に移行する（ステップＳ６０８）。なお、この時、タッチパネル６１に表示させたカード挿入喚起画面上で手払い支援の終了操作（「戻る」ボタン）が押下された場合（ステップＳ６０９肯定）には、そのまま処理を終了する。
【０１７３】
そして、カード挿入口６０１からプリペイドカードが挿入されると（ステップＳ６０８肯定）、モード一致判定部６３０は、当該プリペイドカードにカード精算機６０の滞在モードと異なるプリペイド残額が存在するか否かを判定する（ステップＳ６１０）。
【０１７４】
このとき、カード精算機６０の滞在モードと異なるプリペイド残額が存在しない場合、すなわち滞在モードに対応した価値付け区分のプリペイド残額しかない場合ならびにプリペイド残額が存在しない場合（ステップＳ６１０否定）には、取扱いが不能である旨とその原因（例えば、自動精算すべきプリペイドカードである旨や残額自体が存在しない旨）を取扱い不能報知画面として表示させてから（ステップＳ６１１）返却カードの受取を促すカード受取喚起画面を表示させ（ステップＳ６２０）、当該プリペイドカードを返却する（ステップＳ６２１）。なお、この場合、カード返却後にカード挿入喚起画面がタッチパネル６１に表示され、別の手払い精算の対象とするプリペイドカードの挿入が促される。
【０１７５】
一方、カード精算機６０の滞在モードと異なるプリペイド残額が存在する場合（ステップＳ６１０肯定）には、手払いフラグ判定部６４０は、プリペイドカード内の手払いフラグがオフであるか否かをさらに判定する（ステップＳ６１２）。
【０１７６】
ここで、手払いフラグ判定部６４０によって手払いフラグがオンであると判定された場合（ステップＳ６１２否定）には、手払い支援部６７０は、既に手払い精算が済んでいる旨を報知する手払い済み報知画面をタッチパネル６１に表示させてから（ステップＳ６１３）返却カードの受取を促すカード受取喚起画面を表示させ（ステップＳ６２０）、当該プリペイドカードを返却する（ステップＳ６２１）。なお、この場合にも、カード返却後にカード挿入喚起画面がタッチパネル６１に表示され、別の手払い精算の対象とするプリペイドカードの挿入が促される。
【０１７７】
また、手払いフラグ判定部６４０によって手払いフラグがオフであると判定された場合（ステップＳ６１２肯定）には、手払い支援部６７０は、当該プリペイドカードに記録された情報、たとえば価値付け区分、プリペイド残額、カード種別、プリペイドカードＩＤ、処理日時や処理号機などの情報を含むカード情報画面をタッチパネル６１に表示させる（ステップＳ６１４）。
【０１７８】
続いて、このカード情報画面上にある手払い実行意思の確認操作がなされると（ステップＳ６１５肯定）、手払い支援部６７０は、手払いの精算金額やその他の手払いに関する注意事項などを含む手払い実行画面をタッチパネル６１に表示させる（ステップＳ６１６）。
【０１７９】
そして、手払い実行画面上で手払い終了の確認操作（実行ボタンの押下）を受け付けると（ステップＳ６１７肯定）、手払い支援部６７０は、手払い精算が行われたプリペイドカードのプリペイドカードＩＤ、精算区分、価値付け区分、精算時刻および精算金額などの精算情報を精算履歴管理テーブル６７ａに登録し（ステップＳ６１８）、書込制御部６８０は、プリペイドカード内の手払いフラグをオンに更新してから（ステップＳ６１９）、返却カードの受取を促すカード受取喚起画面を表示させ（ステップＳ６２０）、当該プリペイドカードを返却する（ステップＳ６２１）。なお、この場合にも、カード返却後にカード挿入喚起画面がタッチパネル６１に表示され、別の手払い精算の対象とするプリペイドカードの挿入が促される。
【０１８０】
その後、カード挿入喚起画面上で手払い支援の終了操作（「戻る」ボタン）が押下されるまで（ステップＳ６０９否定）、上記したステップＳ６０８〜ステップＳ６２１までの処理を繰り返し行い、カード挿入喚起画面上で手払い支援の終了操作（「戻る」ボタン）が押下されると（ステップＳ６０９肯定）、処理を終了する。
【０１８１】
上述してきたように、本実施例１に係るプリペイドカードシステム１によれば、所定の支払い価値を遊技への使用を前提としたプリペイド残額として受け付け、オンラインモードまたは高額オフラインモードのいずれのモードにおいて支払い価値をプリペイド残額として価値付けたかを示す価値付け区分をプリペイドカードに書き込ませるようにＣＲユニット３０を構成し、オンラインモード及び高額オフラインモードを切り替え、処理要求受付時に滞在している滞在モードがプリペイドカードに書き込まれた価値付け区分と一致するか否かを判定し、これら滞在モードと価値付け区分とが一致すると判定した場合に、プリペイドカードの使用または精算の自動処理を許可するようにＣＲユニット３０およびカード精算機６０を構成したので、プリペイドカードＴ／Ｃ１０と店内機器との通信が途絶した場合でも遊技客に高額紙幣を使用させるとともに、システム管理を行う上で性質が異なるプリペイド残額をそれぞれの価値付け区分と異なる運用モードで使用または精算されることがなくなり、システム管理が煩雑化することを防止しつつ、遊技客のプリペイドカードに係る利便性を向上させることが可能になる。
【０１８２】
さらに、本実施例１に係るプリペイドカードシステム１によれば、滞在モードと価値付け区分とが不一致であると判定した場合に、プリペイドカードに書き込まれたプリペイド残額の価値高を表示させるように構成したので、オフライン状態になるまでにオンライン状態で購入されたオンライン残額、或いはその逆にオフライン残額を価値付け区分とは異なる滞在モードで手払い精算させることができ、プリペイド残額が不明であることが原因で対応不能となる事態がなくなる結果、遊技客のプリペイドカードに係る利便性を多面的に向上させることが可能になる。
【実施例２】
【０１８３】
さて、これまで本発明の実施例について説明したが、本発明は上述した実施例以外にも、種々の異なる形態にて実施されてよいものである。そこで、以下では、本発明に含まれる他の実施例を説明する。
【０１８４】
（１）価値付け
例えば、上記した実施例１では、オンラインモード時にオフライン残額があるプリペイドカードにオンライン残額を価値付けることを許容することとしたが、オンラインモードではオフライン残額ありのプリペイドカードにオンライン残額を価値付けることを禁止したり、また、オンラインモードではオフライン残額ありのプリペイドカードを受け入れないようにＣＲユニット３０を構成するようにしてもよい。
【０１８５】
（２）モード切替え
また、上記した実施例１では、リモコン７０を用いて手動操作によって高額オフラインモードへの切替えを行うこととしたが、通信状況監視部３５１または６２１によってプリペイドカードＴ／Ｃ１０との通信が途絶したことが検知された場合にオンラインモードから高額オフラインモードへの切替えを自動的に行うようにしてもかまわない。また、高額オフラインモードからオンラインモードへの切替えについても同様に自動的に行うこともできる。
【０１８６】
すなわち、これによって、ＣＲユニット３０またはカード精算機６０に対してモード切替え操作を行う必要がなくなり、高額オフラインモードへの切替え並びにオンラインモードへの復旧を迅速に行うことが可能になる。
【０１８７】
（３）カードへの書込制御
また、本発明では、プリペイドカードＴ／Ｃ１０によってオンライン残額が更新されている途中でプリペイドカードＴ／Ｃ１０との通信が途絶した場合に、更新前のオンライン残額及び更新後のオンライン残額の両方をプリペイドカードに書き込ませるように書込制御部３７０を構成するようにしてもよい。
【０１８８】
すなわち、これによって、オンライン残額更新中に対プリペイドカードＴ／Ｃ１０の通信が途絶した事実を把握させ、さらには、オンラインモード復旧後の自動精算または高額オフラインモードでの手払い精算等でオンライン残額を精算する場合に遊技客にとってセーフティーな金額を精算させることができ、玉貸しが行われていないにもかかわらず、玉貸しが行われた場合のオンライン残額だけ精算してしまう事態（貸出対価の過徴収）を防止することが可能になる。
【０１８９】
また、上記した実施例１では、プリペイドカードが挿入または返却されたことを契機にプリペイド残額をプリペイドカードに書き込ませることとしたが、本発明はこれに限定されるものではなく、プリペイド残額を更新するタイミングで書き込ませるようにしてもかまわない。
【０１９０】
また、上記した実施例１では、高額オフラインモードではプリペイドカードの挿入および追加入金による価値付けを禁止することとしたが、本発明はこれに限定されるものではなく、コピーカード等の対策を講じてセキュリティを高めれば許容してもかまわない。
【０１９１】
（４）その他
なお、上記した実施例１では、遊技用記録媒体としてプリペイドカードを用いる実施例を説明したが、必ずしもプリペイドカードである必要はなく、他の形状（例えば、コイン状）或いは他の種類の記録媒体（例えば、ＩＣカード）であっても本発明を同様に適用することができる。
【０１９２】
また、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【０１９３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１９４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【０１９５】
以上のように、本発明に係る遊技媒体貸出システムは、遊技客のプリペイドカードに係る利便性を向上させる場合に適している。
【図面の簡単な説明】
【０１９６】
【図１】実施例１に係る遊技店のプリペイドカードシステムのシステム構成を示す図である。
【図２】図１に示したＣＲユニットの外観を示した正面図である。
【図３】図２に示したＣＲユニットの内部構成を示すブロック図である。
【図４】図１に示したカード精算機の外観を示した正面図である。
【図５】図４に示したカード精算機の内部構成を示すブロック図である。
【図６】精算履歴管理テーブルに記憶される情報の構成例を示す図である。
【図７】実施例１に係るオンラインモード時の玉貸し処理の手順を示すフローチャートである。
【図８】実施例１に係るオンラインモード時の自動精算処理の手順を示すフローチャートである。
【図９】実施例１に係る高額オフラインモードへの切替え処理の手順を示すフローチャートである。
【図１０】パスワードの生成ロジックの一例を説明するための説明図である。
【図１１】実施例１に係る対プリペイドカードＴ／Ｃの通信途絶時の玉貸し処理の手順を示すフローチャートである。
【図１２】実施例１に係る高額オフラインモード時の自動精算処理の手順を示すフローチャートである。
【図１３】実施例１に係る手払い支援処理の手順を示すフローチャートである。
【図１４】図１３に示した手払い支援処理で表示される画面の遷移例を示す図である。
【図１５】手払い票の一例を示す図である。
【符号の説明】
【０１９７】
１      プリペイドカードシステム
３      公衆回線
１０      プリペイドカードＴ／Ｃ
２０      島コントローラ
３０    ＣＲユニット
３１    操作部
３２    表示部
３３ａ  通信制御Ｉ／Ｆ部
３３ｂ  遊技機用通信Ｉ／Ｆ部
３５    紙幣処理部
３５ａ  ＢＶユニット部
３５ｂ  搬送機構部
３５ｃ  紙幣収納部
３５ｄ  施錠機構部
３６    カード処理部
３６ａ  カードリーダライター
３６ｂ  カード収納部
３６ｃ  搬送／繰出機構部
３７    記憶部
３８    制御部
３３０    リモコン処理部
３４０    パスワード生成部
３５０    モード切替え部
３５１    通信状況監視部
３６０    カード管理部
３６１    モード一致判定部
３６２    手払いフラグ判定部
３６３    オンライン残額更新依頼部
３６４    オフライン残額更新部
３７０    書込制御部
３８０    玉貸し処理部
４０    パチンコ機
６０    カード精算機
６１    タッチパネル
６２    通信Ｉ／Ｆ部
６３    カード処理部
６３ａ  カードリーダライター
６３ｂ  カード収納部
６３ｃ  搬送機構部
６４    現金処理部
６４ａ  貨幣収納部
６４ｂ  施錠機構部
６４ｃ  繰出機構部
６８    制御部
６１０    パスワード生成部
６２０    モード切替え部
６２１    通信状況監視部
６３０    モード一致判定部
６４０    手払いフラグ判定部
６５０    精算履歴判定部
６６０    精算処理部
６６１    オンライン残額精算部
６６２    オフライン残額精算部
６７０    手払い支援部
６７１    表示制御部
６８０    書込制御部
７０    リモコン
１００    中央管理装置
１１０    パスワード生成部
１５０    メールサーバ
【図１】
0005069586.tif 000002
【図２】
0005069586.tif 000003
【図３】
0005069586.tif 000004
【図４】
0005069586.tif 000005
【図５】
0005069586.tif 000006
【図６】
0005069586.tif 000007
【図７】
0005069586.tif 000008
【図８】
0005069586.tif 000009
【図９】
0005069586.tif 000010
【図１０】
0005069586.tif 000011
【図１１】
0005069586.tif 000012
【図１２】
0005069586.tif 000013
【図１３】
0005069586.tif 000014
【図１４】
0005069586.tif 000015
【図１５】
0005069586.tif 000016